(57)【要約】      （修正有）【課題】ロック状態の解放と引出しの引き出し（抜き出し）の両操作を一連の操作で行え、総じて使用勝手上良好な、引き出しのラッチ装置を提供する。【解決手段】キャビネット等の収納部Ｂ側壁材５に受止縁６を設け、該受止縁を係離するラッチ部片７を一端に突設した回動材１０を、前記収納部に出入自在に摺嵌した引出しＡに、ばね片９で前記ラッチ部片が前記受止縁に係止する方向に回動付勢させるようにして、縦軸回動自在に組付けると共に、該回動材の他の一端に突設した連けい部片１１を前記引出しの前壁材１に回動自在に横設した作動杆１７によって前記ばね片の付勢に抗して回動させるようにする。そして該作動杆の周側に受圧部片１９を突設し、この受圧部片の背面側に該受圧部片を押圧する押圧部片２０を配設し、該押圧部片を前記引出しＡの、前記前壁材に突設した把手片２３の背面側に重合して引出しの前後方向に移動する操作レバー２２に接続する。【選択図】図２
2004218367.tif 000002
【特許請求の範囲】
【請求項１】
キャビネット等の収納部側壁材に受止縁を設け、該受止縁を係離するラッチ部片を一端に突設した回動材を、前記収納部に出入自在に摺嵌した引出しに、ばね片で前記ラッチ部片が前記受止縁に係止する方向に回動付勢させるようにして、縦軸回動自在に組付けると共に、該回動材の他の一端に突設した連けい部片を前記引出しの前壁材に設けた作動杆によって前記ばね片の付勢に抗して回動させるようにした引出しのラッチ装置において、前記前壁材に前記作動杆を回動自在に横設し、該作動杆の周側に受圧部片を突設し、この受圧部片の背面側に該受圧部片を押圧する押圧部片を配設し、該押圧部片を前記引出しの、前記前壁材に突設した把手片の背面側に重合して引出しの前後方向に移動する操作レバーに接続した、引出しのラッチ装置。
【発明の詳細な説明】
【０００１】
【産業上の利用分野】
本発明は物品収納用のキャビネット等に用いる引出しのラッチ装置に関するものである。
【０００２】
【従来の技術】
キャビネット本体（引出しの収納部）側壁材に受止縁を設け、該受止縁を係離するラッチ部片を一端に突設した回動材を、前記キャビネットに出入自在に摺嵌した引出しに、ばね片で前記ラッチ部片を前記受止縁に係止する方向に回動付勢させて縦軸回動自在に組付け、該回動材の他の一端に突設した連けい部片を前記引出しの前壁材に設けた作動杆によって前記ばね片の付勢に抗して回動させるようにした構造のものがある（例えば、特許文献１）。
【０００３】
【特許文献１】
特開平７−７９８２７号公報（第４頁乃至第６頁、図１乃至図６）
【０００４】
【発明が解決しようとする課題】
前記従来例は、引出しの上側又は下側のいずれの方向に向けて作動杆を回動操作を行ってもばね片の付勢に抗してラッチ片を受止縁より離脱、すなわち、ロック状態を解除することができ、従って、引出しの高さ位置に係りなく、ロック状態を解除しつつ、当該引出しの引き出し（抜き出し）操作を行えるという使用勝手上の良好さを図ることができるものであるが、上下いずれの方向に回動させれば良いとしても、飽くまでも作動杆を回動させる操作を要するため、当該作動杆を引き出しの上側に向けて回動させるには当該作動杆の下側に、また、下側に向けて回動させるには上側にそれぞれ指先による外力を与えなければならず、当然のことながら外力の負荷ミスが起り勝ちとなる。
【０００５】
本発明は斯様な従来例の欠点を回避して指先による作動杆の回動の操作ミスを防いで確実に回動（引出しの引き出し）操作を行え、しかも、ロック状態の解放と引き出し（抜き出し）の両操作を一連の操作で行え、総じて使用勝手上良好な装置を提供すべく創案したものである。
【０００６】
【課題を解決するための手段】
キャビネット等の収納部側壁材に受止縁を設け、該受止縁を係離するラッチ部片を一端に突設した回動材を、前記収納部に出入自在に摺嵌した引出しに、ばね片で前記ラッチ部片が前記受止縁に係止する方向に回動付勢させるようにして、縦軸回動自在に組付けると共に、該回動材の他の一端に突設した連けい部片を前記引出しの前壁材に設けた作動杆によって前記ばね片の付勢に抗して回動させるようにした引出しのラッチ装置において、前記前壁材に前記作動杆を回動自在に横設し、該作動杆の周側に受圧部片を突設し、この受圧部片の背面側に該受圧部片を押圧する押圧部片を配設し、該押圧部片を前記引出しの、前記前壁材に突設した把手片の背面側に重合して引出しの前後方向に移動する操作レバーに接続した構成としたものである。
【０００７】
【発明の実施の形態】
図面は本発明に係る引出しのラッチ装置の一実施形態を示し、図１は引出しの一部の平面図、図２は本発明要部の横断面図、図３は図２の一部を省略して示したｘ−ｘ線断面図、図４は駆動片と作動杆の関係を示す一部欠截正面図、図５は作動杆と回動材の関係を示す正面図である。
【０００８】
実施形態の引出しＡは、前壁材１、左右の側壁材２，２´、底壁材３および図示省略した底壁材で成る上面開口の箱状体で構成し、前記前壁材１は前面板１Ａと裏面板１Ｂの両端部をねじ杆４，２６で互いに止着して構成し、前面板（鏡板を構成する）１Ａを好みに応じて変えられるようにしたものである。
【０００９】
また、実施形態のラッチ装置は、前記引出しＡの一方の側壁材２側の、収納部Ｂ（キャビネットなどの引出しの）の側壁材５に設けた受止縁６にラッチ部片７を係離させ、収納部Ｂに対する引出しのロックおよび引き出し（抜き出し）操作を行うようにしてあるが、前記一方の側壁材２側と同じに他の一方の側壁材２´側の収納部Ｂの側壁材（図示省略）に対してもラッチ部片を係離させるようにしても不都合はない。
【００１０】
しかして、前記受止縁６は、収納部Ｂの前記側壁材５の内面５ａに収納部Ｂ奥行方向に漸次突出量が大きくなるようにしてテーパ縁ａを設けた突片６Ａの背（裏）面で構成し、この突片６Ａに前記ラッチ部片７に設けた係止孔８が係合することにより係止孔８の後縁が受止縁６に係止するようにして引出しＡはロックされる。
【００１１】
なお、係止孔８の前縁部に前端から後端に向けて該ラッチ部片７の板厚を漸次部分的に薄肉にして前記テーパ縁ａと対称的なテーパ縁ｂを設けたのは、突片６Ａに対してラッチ部片７を係止孔８において（ばね片９の付勢によって）係合し易くしたものである。
【００１２】
ラッチ部片７は縦長の回動材１０の一端に引出しＡの後方に向けて突設し、このラッチ部片７を一端に備えた回動材１０は、縦長の主体部１０Ａの他の一端に連けい部片１１を突設して構成し、前壁材１の前記裏面板１Ｂの前面側の一端に固装した支持枠１６に主体部１０Ａを係合し、該主体部１０Ａに突設した上下の支軸部１２，１２´を支持枠１６に設けた透孔１３，１３´に貫通させるようにして支持枠１６すなわち前壁材１（裏面板１Ｂ）に縦軸回動自在に設け、支持枠１６に備えた一方の窓口１４を通じて前記ラッチ部片７を、前記の通り、引出しＡ後方方向に、他の一方の窓口１４´を通じて連けい部片１１を引出しＡと重なる方向にそれぞれ突出させたものである。
【００１３】
そして、この回動材１０の支持枠１６の前記窓口１４より突出する前記ラッチ部片７と引出しＡの前記一方の側壁材２との間には前記ばね片９（実施形態ではコイルばね）を介在させ、このばね片９によって回動材１０は回動付勢され（図２においては反時計廻り方向に回動付勢され）、この結果、前記ラッチ部片７が前記突片６Ａ位置に存するときは該突片６Ａと自動的に係合し、ラッチ部片７は受止縁６に係止して引出しＡは収納部Ｂより抜け出ないようにしてある。
【００１４】
なお、ばね片９の回動付勢は、ラッチ部片７および連けい部片１１の窓口１４，１４´の一端縁１４ａ，１４´ａに対する接触により規制される。
【００１５】
また、回動材１０は、連けい部片１１に押圧されることにより前記ばね片９の付勢に抗して回動するようにしてあり、実施形態は、その操作を前記前壁材１の裏面板１Ｂ内に横設した作動杆１７の一端に折曲して設けた部片１７ａの当該連けい部片１１に対する押圧によって行われるようにしてある。
【００１６】
作動杆１７は主体杆部１７Ａに棒杆部１７Ｂを嵌挿して互いに止着して構成し、棒杆部１７Ｂの主体杆部１７Ａより突出する長尺側の自由端部に前記の部片１７ａを設けて該部片１７ａを連けい部片１１の背（裏）面と接触する位置（この接触状態の維持は該部片１７ａと連けい部片１１相互の位置関係と後記する押圧部片２０と受圧部片１９相互の位置関係並びに前記ばね片９の作用も関係して総合的に行われる）に配し、主体杆部１７Ａを、前壁材１の前記裏面材１Ｂの前面に固装した受支枠１８に回動自在に受支させたものである。
【００１７】
主体杆部１７Ａと棒杆部１７Ｂは、主体杆部１７Ａに長手方向に沿う断面方形状の割り溝を設け、該割り溝に断面方形の棒杆部１７Ｂを嵌挿するようにして前記作動杆１７を構成し、作動杆１７は主体杆部１７Ａの両端の半円筒部１７Ａ´，１７Ａ´を前記受支枠１８の両端に設けた部片１８ａ，１８ａ´に設けた円形縁に係合させて受支枠１８に回動自在に受支させ、この作動杆１７の前記半円筒部１７Ａ´，１７Ａ´と受支枠１８の部片１８ａ，１８ａ´との係合関係によっていわば芯出しを行い、作動杆１７の前記部片１７ａは連けい部片１１に対してその背面側において接触するよう（設計上）になっている。
【００１８】
また、作動杆１７の主体杆部１７Ａの周側の両端には受圧部片１９を突設し、この受圧部片１９の背面（裏面）側に位置する押圧部片２０を各受圧部片１９に対応させて設けた押圧材２１を操作レバー２２の背面側に接続してある。
【００１９】
前記押圧材２１は水平部片２１ａと該水平部片２１ａの前端を下方に折曲して設けた前面部片２１ｂとで成り、水平部片２１ａの両側に打出し成形するようにして前記押圧部片２０を立設してこれを前記受圧部片１９の背面側に重ね合わせるようにし、引出しＡの把手２３に支持させた操作レバー２２の両端に設けた接続杆部２２ａに前記前面部片２１ｂにおいてねじ２４で固着、接続したものである。
【００２０】
把手２３は、両端の棒状突片２３ａを前記前面板１Ａにその前面側より貫通させ、該突片２３ａにスペーサ２５を嵌合して、これらに裏面板１ｂ側から螺入したねじ杆２６を締付けることによって引出しＡの前壁材１の前面に突出状に配したもので、この把手２３の背面側に設けた凹入部２７すなわち把手２３を断面コ字形にして設けた凹入部２７に前記操作レバー２２をその開口側から遊嵌し（引出しＡの前後方向に移動自在に係合し）、操作レバー２２に設けた接続杆部２２ａを前壁材１の前記前面板１Ａを通じて前壁材１内に挿入するようにして前記の通り押圧材２１にその前面部片２１ｂにおいて接続したものである。
【００２１】
なお、把手２３の内面すなわち前記凹入部２７の奥壁と前記操作レバー２２の前面２２ｂとの間には圧縮ばね（実施形態はコイルスプリングで構成する）２８を介在させ、圧縮ばね２８によって前記ばね片９の負荷を軽減してロック解放操作後の操作レバー２２の原位置への復帰を良好にする（操作感が向上）と共に、操作レバー２２と把手２３とのガタつきを防いでいる。
【００２２】
しかして、把手片２３の内側（裏側）に、指先を係合して操作レバー２２を引出しＡの前方に向けて押圧すると、操作レバー２２は把手２３の凹入部２７で引出しＡ前方方向へと移動し、操作レバー２２に接続した押圧材２１に設けた押圧部片２０は受圧部片１９を押圧する。受圧部片１９は受支枠１８に回動自在に支持させた作動杆１７に設けてあるので、作動杆１７は、回動しようとし、作動杆１７の自由端に設けた部片１７ａはばね片９の付勢に抗して回動材１０を連けい部片１１において回動させ、この結果、回動材１０に備えたラッチ部片７も回動し、収納部Ｂの側壁材５に設けた受止縁６から離脱し（突片６Ａから係止孔８が離脱し）、引出しＡが収納部Ｂより引き出し可能状態となり、操作レバー２２に対する指先による外力の負荷の継続によってその外力は引出しＡの把手２３に負荷されるから、引き出しＡは収納部Ｂより引き出される。また、引出しＡを収納部Ｂ方向に押圧することによって各部は原位置に復帰して引出しＡの収納部Ｂに対する収納状態を得られる。
【００２３】
【発明の効果】
本発明は前記の通りの構成であるから、前壁材と把手との間に上下いずれの方向から指先を入れて引出しの高さ位置に関係なく操作レバーによるラッチによるロック状態の解放を行うことができることは勿論、把手による引出しの引き出し操作と同じ操作で、すなわち、引出しの前方方向の動きで操作レバーを操作することができるから、斬新な構造にして総じて使用勝手の良好な引出しのラッチ装置を提供できる。
【図面の簡単な説明】
【図１】引出しの一部の平面図。
【図２】本発明要部の横断面図。
【図３】図２の一部を省略して示したｘ−ｘ線断面図。
【図４】駆動片と作動杆の関係を示す一部欠截正面図。
【図５】作動杆と回動材の関係を示す正面図。
【符号の説明】
Ａ      引出し
Ｂ      収納部
１      前壁材
５      側壁材
６      受止縁
７      ラッチ部片
９      ばね片
１０    回動材
１１    連けい部片
１７    作動杆
１９    受圧部片
２０    押圧部片
２２    操作レバー
２３    把手片
【図１】
2004218367.tif 000003
【図２】
2004218367.tif 000004
【図３】
2004218367.tif 000005
【図４】
2004218367.tif 000006
【図５】
2004218367.tif 000007